【手続補正書】
【提出日】平成20年1月8日(2008.1.8)
【手続補正１】
【補正対象書類名】明細書
【補正対象項目名】発明の名称
【補正方法】変更
【補正の内容】
【発明の名称】光ピックアップ調整装置、およびこれを備える光ピックアップ調整システム
【手続補正２】
【補正対象書類名】明細書
【補正対象項目名】特許請求の範囲
【補正方法】変更
【補正の内容】
【特許請求の範囲】
【請求項１】  レンズユニットのスキュー用ネジ孔に螺合されるスキュー調整用ボルトを含んで構成される光ピックアップの光学特性を調整する光ピックアップ調整装置であって、
前記調整すべき光ピックアップを、予め定めるピックアップ保持位置に保持する光ピックアップ保持手段と、
前記スキュー調整用ボルトの頭部に係合した状態で、前記スキュー調整用ボルトをネジ軸まわりに回転させるビットユニットと、
前記スキュー調整用ボルトの回転時の変位に応じて、前記ネジ軸と前記ビットユニットが回転する前記ビット軸線とを同軸に配置するように、前記ビットユニットを追従変位させる追従手段とを備えることを特徴とする光ピックアップ調整装置。
【請求項２】  前記ビットユニットに、離反した位置から回転力を伝達する回転力伝達手段を備えることを特徴とする請求項１記載の光ピックアップ調整装置。
【請求項３】  前記回転力伝達手段は、
前記ビットユニットに同軸に固定される第１プーリと、
第２プーリと、
前記第２プーリに同軸に固定される駆動手段と、
前記第１プーリおよび第２プーリ間に張架される無端状のベルトとを備えることを特徴とする請求項２記載の光ピックアップ調整装置。
【請求項４】  前記第１プーリのビット軸線と前記第２プーリの駆動軸線とは、非平行であることを特徴とする請求項３記載の光ピックアップ調整支援装置。
【請求項５】  前記ビットユニットは、
前記ビット軸線方向一端部に、前記スキュー調整用ボルトの頭部に係合する係合部が形成されるドライバビットと、
ビット軸線方向一方側に、前記ドライバビットのビット軸線方向他端部が固定され、かつビット軸線方向他方側に半径方向外方に突出する抜け止め部が形成されるシャフトと、
前記シャフトのビット軸線方向他方側が、ビット軸線方向に摺動自在に挿入されるシャフト挿入孔、および前記抜け止め部が収容され、前記シャフト挿入孔に臨んで開口する長孔を有するビットユニット本体とを備えることを特徴とする請求項１〜４のいずれかに記載の光ピックアップ調整装置。
【請求項６】  前記光ピックアップは、タンジェンシャル方向のスキュー位置を調整するための第１スキュー調整用ボルトと、ラジアル方向のスキュー位置を調整するための第２スキュー調整用ボルトとを有するものであって、
前記第１スキュー調整用ボルトを回転させるための第１ビットユニットと、前記第２スキュー調整用ボルトを回転させるための第２ビットユニットとを備えることを特徴とする請求項１〜５のいずれかに記載の光ピックアップ調整装置。
【請求項７】  前記光ピックアップ調整装置は、調整すべき光ピックアップによって、調整用光ディスクに記録された光学調整用情報を読み出しながら、光学特性を調整する光ピックアップ調整装置であって、
前記光ピックアップに対して、前記調整用光ディスクを予め定める相対位置に保持する光ディスク保持手段を備えることを特徴とする請求項１〜６のいずれかに記載の光ピックアップ調整装置。
【請求項８】  前記光ディスク保持手段は、前記相対位置と、この相対位置から離反する予め定める離反位置との間で直線的に移動可能に設けられるものであって、
前記相対位置と前記離反位置との間で所定の間隔を開けて配置され、前記光ディスク保持手段の位置を検出する複数の位置センサを備えることを特徴とする請求項７記載の光ピックアップ調整装置。
【請求項９】  請求項１〜８のいずれかに記載の光ピックアップ調整装置と、
前記光ピックアップ調整装置の近傍に配置され、光ピックアップ調整装置の制御命令を入力するために必要な最低限の構成を有する操作手段と、
前記光ピックアップ調整装置から離反して配置され、かつ前記操作手段から出力された制御命令が入力され、この制御命令に基づいて、光ピックアップ調整装置を制御する制御装置とを備えることを特徴とする光ピックアップ調整システム。
【請求項１０】  前記制御装置は、前記各位置センサに個別に割り当てられた数値信号、およびこの数値信号に個別の位置情報が、予め記憶された記憶手段と、
前記位置センサが出力した数値信号と、前記記憶手段に記憶された数値信号とを比較して、前記光ディスク保持手段の位置を判定する制御手段とを含むことを特徴とする請求項９記載の光ピックアップ調整システム。
【請求項１１】  前記制御手段は、移動前の光ディスク保持手段が位置された位置センサが出力した数値信号と、移動後の光ディスク保持手段が位置された位置センサが出力した数値信号とを比較して、光ディスク保持手段の移動方向を判定することを特徴とする請求項１０記載の光ピックアップ調整システム。
【手続補正３】
【補正対象書類名】明細書
【補正対象項目名】０００１
【補正方法】変更
【補正の内容】
【０００１】
【発明の属する技術分野】
本発明は、光ピックアップの光学特性を調整する光ピックアップ調整装置、およびこれを備えた光ピックアップ調整システムに関する。
【手続補正４】
【補正対象書類名】明細書
【補正対象項目名】０００３
【補正方法】変更
【補正の内容】
【０００３】
【発明が解決しようとする課題】
したがって本発明の目的は、調整作業者の作業負担を軽減し、かつ光ピックアップの光学特性の調整を早く、容易に、かつ正確に行うことができる光ピックアップ調整装置、およびこれを備えた光ピックアップ調整システムを提供することである。
【手続補正５】
【補正対象書類名】明細書
【補正対象項目名】０００４
【補正方法】変更
【補正の内容】
【０００４】
【課題を解決するための手段】
請求項１記載の本発明は、レンズユニットのスキュー用ネジ孔に螺合されるスキュー調整用ボルトを含んで構成される光ピックアップの光学特性を調整する光ピックアップ調整装置であって、
前記調整すべき光ピックアップを、予め定めるピックアップ保持位置に保持する光ピックアップ保持手段と、
前記スキュー調整用ボルトの頭部に係合した状態で、前記スキュー調整用ボルトをネジ軸まわりに回転させるビットユニットと、
前記スキュー調整用ボルトの回転時の変位に応じて、前記ネジ軸と前記ビットユニットが回転する前記ビット軸線とを同軸に配置するように、前記ビットユニットを追従変位させる追従手段とを備えることを特徴とする光ピックアップ調整装置である。
【手続補正６】
【補正対象書類名】明細書
【補正対象項目名】０００５
【補正方法】変更
【補正の内容】
【０００５】
本発明に従えば、調整すべき光ピックアップは、スキュー調整用ボルトを締める、あるいは緩めることによって、光ディスクと集光レンズとの位置関係であるスキュー位置が変動する。このとき、スキュー調整用ボルトのネジ軸と、このスキュー調整用ボルトを回転させるビットユニットのビット軸線とがずれたまま、スキュー位置の調整を行うと、スキュー位置を早くかつ正確に調整することができない。つまり先行技術の人為的作業に依存する方法では、スキュー調整用ボルトのネジ軸とビットユニットのビット軸線とを同軸に保持したまま、スキュー調整用ボルトを回転させることは困難である。これに対して本発明の光ピックアップ調整装置は、スキュー調整用ボルトの回転時の変位に応じて、ネジ軸とビット軸線とが同軸に保持されるように、ビットユニットを追従変位させる追従手段を備えるので、ネジ軸とビット軸線とが同軸に配置され、これによってスキュー位置を早く、かつ正確に調整することができ、調整作業者の負担が低減する。また、調整作業者の高度な調整技術を必要とすることもない。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項５記載の本発明は、前記ビットユニットは、
前記ビット軸線方向一端部に、前記スキュー調整用ボルトの頭部に係合する係合部が形成されるドライバビットと、
ビット軸線方向一方側に、前記ドライバビットのビット軸線方向他端部が固定され、かつビット軸線方向他方側に半径方向外方に突出する抜け止め部が形成されるシャフトと、
前記シャフトのビット軸線方向他方側が、ビット軸線方向に摺動自在に挿入されるシャフト挿入孔、および前記抜け止め部が収容され、前記シャフト挿入孔に臨んで開口する長孔を有するビットユニット本体とを備えることを特徴とする。
【手続補正９】
【補正対象書類名】明細書
【補正対象項目名】００１５
【補正方法】変更
【補正の内容】
【００１５】
請求項６記載の本発明は、前記光ピックアップは、タンジェンシャル方向のスキュー位置を調整するための第１スキュー調整用ボルトと、ラジアル方向のスキュー位置を調整するための第２スキュー調整用ボルトとを有するものであって、
前記第１スキュー調整用ボルトを回転させるための第１ビットユニットと、前記第２スキュー調整用ボルトを回転させるための第２ビットユニットとを備えることを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
請求項７記載の本発明は、前記光ピックアップ調整装置は、調整すべき光ピックアップによって、調整用光ディスクに記録された光学調整用情報を読み出しながら、光学特性を調整する光ピックアップ調整装置であって、
前記光ピックアップに対して、前記調整用光ディスクを予め定める相対位置に保持する光ディスク保持手段を備えることを特徴とする。
【手続補正２３】
【補正対象書類名】明細書
【補正対象項目名】００３１
【補正方法】変更
【補正の内容】
【００３１】
請求項８記載の本発明は、前記光ディスク保持手段は、前記相対位置と、この相対位置から離反する予め定める離反位置との間で直線的に移動可能に設けられるものであって、
前記相対位置と前記離反位置との間で所定の間隔を開けて配置され、前記光ディスク保持手段の位置を検出する複数の位置センサを備えることを特徴とする。
【手続補正２４】
【補正対象書類名】明細書
【補正対象項目名】００３３
【補正方法】変更
【補正の内容】
【００３３】
請求項９記載の本発明は、前記光ピックアップ調整装置と、
前記光ピックアップ調整装置の近傍に配置され、光ピックアップ調整装置の制御命令を入力するために必要な最低限の構成を有する操作手段と、
前記光ピックアップ調整装置から離反して配置され、かつ前記操作手段から出力された制御命令が入力され、この制御命令に基づいて、光ピックアップ調整装置を制御する制御装置とを備えることを特徴とする光ピックアップ調整システムである。
【手続補正２５】
【補正対象書類名】明細書
【補正対象項目名】００３４
【補正方法】変更
【補正の内容】
【００３４】
本発明に従えば、光ピックアップ調整システムは、前記光ピックアップ調整装置と、この光ピックアップ調整装置の近傍に配置される操作手段と、光ピックアップ調整装置から離反した位置に配置される制御装置とを含んで構成され、操作手段は光ピックアップ調整装置の制御命令を入力するために必要な最低限の構成を有し、制御装置は、操作手段から入力された制御命令に基づいて光ピックアップ調整装置を制御する。
【手続補正２６】
【補正対象書類名】明細書
【補正対象項目名】００３６
【補正方法】変更
【補正の内容】
【００３６】
請求項１０記載の本発明は、前記制御装置は、前記各位置センサに個別に割り当てられた数値信号、およびこの数値信号に個別の位置情報が、予め記憶された記憶手段と、
前記位置センサが出力した数値信号と、前記記憶手段に記憶された数値信号とを比較して、前記光ディスク保持手段の位置を判定する制御手段とを含むことを特徴とする。
【手続補正２７】
【補正対象書類名】明細書
【補正対象項目名】００３８
【補正方法】変更
【補正の内容】
【００３８】
請求項１１記載の本発明は、前記制御手段は、移動前の光ディスク保持手段が位置された位置センサが出力した数値信号と、移動後の光ディスク保持手段が位置された位置センサが出力した数値信号とを比較して、光ディスク保持手段の移動方向を判定することを特徴とする。
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５７
【補正方法】削除
【補正の内容】
【手続補正４６】
【補正対象書類名】明細書
【補正対象項目名】０１６６
【補正方法】削除
【補正の内容】
【手続補正４７】
【補正対象書類名】明細書
【補正対象項目名】０１６７
【補正方法】変更
【補正の内容】
【０１６７】
請求項５記載の本発明によれば、一本のシャフトによって、ドライバビットのビット軸線方向の変位とビット軸線まわりの回転とが許容されるので、部品点数が少なくなる。
【手続補正４８】
【補正対象書類名】明細書
【補正対象項目名】０１６８
【補正方法】変更
【補正の内容】
【０１６８】
請求項６記載の本発明によれば、光ピックアップのタンジェンシャル方向のスキュー位置を調整する第１スキュー調整用ボルトを回転させる第１ビットユニットと、光ピックアップのラジアル方向のスキュー位置を調整する第２スキュー調整用ボルトを回転させる第２ビットユニットとを備えるので、タンジェンシャル方向およびラジアル方向のスキュー位置を同時に調整することができ、作業性が向上する。
【手続補正４９】
【補正対象書類名】明細書
【補正対象項目名】０１６９
【補正方法】削除
【補正の内容】
【手続補正５０】
【補正対象書類名】明細書
【補正対象項目名】０１７０
【補正方法】削除
【補正の内容】
【手続補正５１】
【補正対象書類名】明細書
【補正対象項目名】０１７１
【補正方法】削除
【補正の内容】
【手続補正５２】
【補正対象書類名】明細書
【補正対象項目名】０１７２
【補正方法】削除
【補正の内容】
【手続補正５３】
【補正対象書類名】明細書
【補正対象項目名】０１７３
【補正方法】削除
【補正の内容】
【手続補正５４】
【補正対象書類名】明細書
【補正対象項目名】０１７４
【補正方法】削除
【補正の内容】
【手続補正５５】
【補正対象書類名】明細書
【補正対象項目名】０１７５
【補正方法】変更
【補正の内容】
【０１７５】
請求項７記載の本発明によれば、調整用光ディスク毎のばらつきを許容することができ、光ピックアップの調整毎のばらつきを許容することができる。
【手続補正５６】
【補正対象書類名】明細書
【補正対象項目名】０１７６
【補正方法】変更
【補正の内容】
【０１７６】
請求項８記載の本発明によれば、前記光ディスク保持手段は、スキュー位置と、このスキュー位置から離反する離反位置との間を、直線的に移動可能に設けられ、位置センサを、光ディスク保持手段の移動軌跡に沿って配置することによって、調整される光ピックアップに対する調整用光ディスクの位置を検出することができ、光ピックアップに対して調整用光ディスクを、光学特性の調整時に読み取るべき光学調整用情報の記録位置に配置されるように制御することができる。
【手続補正５７】
【補正対象書類名】明細書
【補正対象項目名】０１７７
【補正方法】変更
【補正の内容】
【０１７７】
請求項９記載の本発明によれば、光ピックアップ調整システムは、前記光ピックアップ調整装置と、この光ピックアップ調整装置の近傍に配置される操作手段と、光ピックアップ調整装置から離反した位置に配置される制御装置とを含んで構成され、操作手段は光ピックアップ調整装置の制御命令を入力するために必要な最低限の構成を有し、制御装置は、操作手段から入力された制御命令に基づいて光ピックアップ調整装置を制御する。
【手続補正５８】
【補正対象書類名】明細書
【補正対象項目名】０１７９
【補正方法】変更
【補正の内容】
【０１７９】
請求項１０記載の本発明によれば、制御手段は、光ディスク保持手段が位置された位置センサが出力した数値信号と、記憶手段に記憶された数値信号とを比較して、光ディスク保持手段の位置を認識できる。したがって先行技術のように、制御手段は、センサから入力される信号を演算する必要がなくなる。
【手続補正５９】
【補正対象書類名】明細書
【補正対象項目名】０１８０
【補正方法】変更
【補正の内容】
【０１８０】
請求項１１記載の本発明によれば、各位置センサには、個別の数値信号が割り当てられているので、移動前の光ディスク保持手段が位置された位置センサが出力した数値信号と、移動後の光ディスク保持手段が位置された位置センサが出力した数値信号とを比較するだけで、光ディスク保持手段の移動方向を判定することができる。
【手続補正６０】
【補正対象書類名】明細書
【補正対象項目名】０１８１
【補正方法】削除
【補正の内容】
【手続補正６１】
【補正対象書類名】明細書
【補正対象項目名】０１８２
【補正方法】削除
【補正の内容】
【手続補正６２】
【補正対象書類名】明細書
【補正対象項目名】０１８３
【補正方法】削除
【補正の内容】
【手続補正６３】
【補正対象書類名】明細書
【補正対象項目名】０１８４
【補正方法】削除
【補正の内容】
【手続補正６４】
【補正対象書類名】明細書
【補正対象項目名】０１８５
【補正方法】削除
【補正の内容】
【手続補正６５】
【補正対象書類名】明細書
【補正対象項目名】０１８６
【補正方法】削除
【補正の内容】
【手続補正６６】
【補正対象書類名】明細書
【補正対象項目名】０１８７
【補正方法】削除
【補正の内容】
【手続補正６７】
【補正対象書類名】明細書
【補正対象項目名】０１８８
【補正方法】削除
【補正の内容】
【手続補正６８】
【補正対象書類名】明細書
【補正対象項目名】０１８９
【補正方法】削除
【補正の内容】